(57)【特許請求の範囲】
【請求項１】
窓枠に内障子と外障子を引き違いに装着し、
前記窓枠の上枠は、室内側垂下壁と中間垂下壁とで下向きの溝状の内障子ガイド溝を有し、
前記内障子の召合せ框の室外側上部が切欠きされ、その残存した上部を上枠の内障子ガイド溝内に挿入し、内障子と外障子を全閉位置とした閉鎖状態の時に、この切欠き部と前記中間垂下壁と外障子の召合せ框の室内側面との間に隙間を形成する引き違い窓であって、
前記内障子の召合せ框上部に上部召合せ摺動片を、その上面、室外側面、室外側上向面が召合せ框の上面、上部室外側面、上部室外側上向面よりも上方、室外側、上方にそれぞれ突出するように取付け、
前記上枠に第１召合せ気密材と第２召合せ気密材をそれぞれ取付け、
前記第１召合せ気密材は、取付部と、この取付部に下向きに設けた複数のヒレで構成した気密部を備え、その取付部を上枠の内障子ガイド溝における召合せ位置に取付け、
前記第２召合せ気密材は、取付部と、複数のヒレで構成した気密部を備え、その取付部を、前記中間垂下壁の室外側に開口したあり溝における召合せ位置に、当該あり溝に装着した外障子の上框の室内側面に接する上横外気密材と連続すると共に、このヒレが前記中間垂下壁よりも室内側、室外側、下方に張り出すように取付け、この第２召合せ気密材のヒレが前記第１召合せ気密材のヒレと接して両者の間を気密し、
前記内障子、外障子が全閉位置のときに、前記第１召合せ気密材のヒレに上部召合せ摺動片の上面が接すると共に、前記第２召合せ気密材のヒレに、前記上部召合せ摺動片の室外側面、室外側上向面、外障子の召合せ框の室内側面が接して前記隙間を閉塞して気密するようにし、
前記第２召合せ気密材のヒレと前記上部召合せ摺動片の室外側面との重なり代が、風圧による内障子の室内側に向かう最大たわみ変形量よりも大きいことを特徴とする引き違い窓。
【請求項２】
内障子の召合せ框部分を、上部召合せ摺動片で内障子ガイド溝に沿って移動自在にガイドとし、その内障子の戸当り框の上部に上部戸当り摺動片を取付け、内障子の戸当り框部分を、前記上部戸当り摺動片で内障子ガイド溝に沿って移動自在にガイドし、
前記内障子が全開位置の時に前記上部戸当り摺動片が第１・第２召合せ気密材に接しないようにした請求項１記載の引き違い窓。
【発明の詳細な説明】
【技術分野】
【０００１】
本発明は、窓枠に内障子と外障子を引き違いに装着した引き違い窓、詳しくは内障子と外障子の召合せ部の気密構造に関する。
【背景技術】
【０００２】
特許文献１に、窓枠に内障子と外障子を引き違いに装着した引き違い窓が開示されている。
前述した引き違い窓においては、内障子の室内側面と窓枠との間及び、外障子の室内側面と窓枠との間を気密材でそれぞれ気密すると共に、内障子の召合せ框と外障子の召合せ框との間を召合せ気密材で気密している。また、窓枠の上枠における内障子ガイド部の召合せ位置に第１閉塞部材を取付けると共に、内障子の召合せ框の上部に第２閉塞部材を取付け、この第２閉塞部材と第１閉塞部材を接して召合せ框上部と上枠との間を気密している。
【０００３】
【特許文献１】実公昭６０−１６２２８号公報
【発明の開示】
【発明が解決しようとする課題】
【０００４】
前述の従来の引き違い窓においては、上枠の内障子ガイド部を溝とし、内障子の召合せ框の室外側上部を切欠きし、その召合せ框の残存した上部を前記溝内に挿入している。
このために、召合せ框の切欠き部と上枠の溝を形成する一方の垂下壁と外障子の召合せ框の室内側面との間に隙間が生じるので、その隙間を第２閉塞部材で閉塞して気密している。
【０００５】
しかし、引き違い窓の内障子、外障子は台風などの強風雨時に、風圧によって室内側に向けてたわみ変形するので、内障子の召合せ框上部に取付けた第２閉塞部材が室内側に移動する。
一方内障子の開閉移動時に第２閉塞部材が垂下壁に沿って摺動するので、その第２閉塞部材の垂下壁に対する重なり代（第２閉塞部材の弾性変形量）を小さくして、前述の摺動時に発生する摺動抵抗を小さくすることで内障子を開閉移動する力が大きくならないようにしている。
このために、前述のように内障子がたわみ変形した時に、第２閉塞部材は前述の上枠の垂下壁に対して室内に移動するので、その部分の気密性が低下してしまう。
【０００６】
また、外障子よりも内障子のたわみ変形量が大きい場合には、前記第２閉塞部材が外障子の召合せ框室内側面に対して室内側に移動するので、その部分の気密性が低下してしまう。
例えば、内障子の上部が上枠の溝に沿ってガイドされると共に、外障子の上部が上枠のレールに沿ってガイドされる引き違い窓においては、内障子は風圧で大きくたわみ変形するが、外障子はレールによって規制されるから風圧によるたわみ変形が少ない。
【０００７】
本発明の目的は、閉鎖状態の時に内障子の召合せ框上部と上枠との間を気密できるし、内障子の召合せ框の切欠き部と上枠の垂下壁と外障子の召合せ框の室内側面との隙間を気密できると共に、強風雨時に風圧によって内障子が室内側に向けてたわみ変形しても前述の隙間部分の気密性が低下することがなく、しかも内障子を開閉移動する力が大きくならないようにした引き違い窓とすることである。
【課題を解決するための手段】
【０００８】
本発明は、  窓枠に内障子と外障子を引き違いに装着し、
前記窓枠の上枠は、室内側垂下壁と中間垂下壁とで下向きの溝状の内障子ガイド溝を有し、
前記内障子の召合せ框の室外側上部が切欠きされ、その残存した上部を上枠の内障子ガイド溝内に挿入し、内障子と外障子を全閉位置とした閉鎖状態の時に、この切欠き部と前記中間垂下壁と外障子の召合せ框の室内側面との間に隙間を形成する引き違い窓であって、
前記内障子の召合せ框上部に上部召合せ摺動片を、その上面、室外側面、室外側上向面が召合せ框の上面、上部室外側面、上部室外側上向面よりも上方、室外側、上方にそれぞれ突出するように取付け、
前記上枠に第１召合せ気密材と第２召合せ気密材をそれぞれ取付け、
前記第１召合せ気密材は、取付部と、この取付部に下向きに設けた複数のヒレで構成した気密部を備え、その取付部を上枠の内障子ガイド溝における召合せ位置に取付け、
前記第２召合せ気密材は、取付部と、複数のヒレで構成した気密部を備え、その取付部を、前記中間垂下壁の室外側に開口したあり溝における召合せ位置に、当該あり溝に装着した外障子の上框の室内側面に接する上横外気密材と連続すると共に、このヒレが前記中間垂下壁よりも室内側、室外側、下方に張り出すように取付け、この第２召合せ気密材のヒレが前記第１召合せ気密材のヒレと接して両者の間を気密し、
前記内障子、外障子が全閉位置のときに、前記第１召合せ気密材のヒレに上部召合せ摺動片の上面が接すると共に、前記第２召合せ気密材のヒレに、前記上部召合せ摺動片の室外側面、室外側上向面、外障子の召合せ框の室内側面が接して前記隙間を閉塞して気密するようにし、
前記第２召合せ気密材のヒレと前記上部召合せ摺動片の室外側面との重なり代が、風圧による内障子の室内側に向かう最大たわみ変形量よりも大きいことを特徴とする引き違い窓である。
【００１３】
本発明においては、内障子の召合せ框部分を、上部召合せ摺動片で内障子ガイド溝に沿って移動自在にガイドとし、その内障子の戸当り框の上部に上部戸当り摺動片を取付け、内障子の戸当り框部分を、前記上部戸当り摺動片で内障子ガイド溝に沿って移動自在にガイドし、
前記内障子が全開位置の時に前記上部戸当り摺動片が第１・第２召合せ気密材に接しないようにできる。
【００１４】
このようにすれば、内障子を室内外側方向にガタつくことなしにスムーズに開閉移動できる。また、上部召合せ摺動片と第１・第２召合せ気密材は全閉位置の時に接し、全閉位置から僅かに開き方向に移動すると接しなくなると共に、上部戸当り摺動片は第１・第２召合せ気密材に接することがないから、内障子を小さな力で開閉移動できる。
【発明の効果】
【００１５】
本発明によれば、内障子と外障子を全閉位置とした閉鎖状態の時に、上部召合せ摺動片の上面が第１召合せ気密材のヒレに接し、上部召合せ摺動片の室外側面、室外側上向面が第２召合せ気密材のヒレにそれぞれ接し、そのヒレに外障子の召合せ框の室内側面が接するので、上枠の内障子ガイド溝と内障子の召合せ框上部との間を、第１召合せ気密材と上部召合せ摺動片で気密できると共に、内障子の召合せ框の切欠き部と中間垂下壁と外障子の召合せ框の室内側面との間の隙間を第２召合せ気密材で閉塞して確実に気密できる。
前記上部召合せ摺動片の各面は第１・第２召合せ気密材の複数のヒレに接するので、確実に気密できると共に、接した時の摺動抵抗が小さく内障子を小さな力で開閉移動できる。
前記第２召合せ気密材のヒレと上部召合せ摺動片の室外側面の重なり代は内障子の最大たわみ変形量よりも大きいから、強風雨で内障子が室内側にたわみ変形した時に第２召合せ気密材のヒレと上部召合せ摺動片の室外側面はしっかりと接しているので、前述の隙間部分の気密性が低下することがない。
前記第２召合せ気密材は上枠の中間垂下壁に取付けられて内障子が全閉位置の時に、そのヒレに上部召合せ摺動片が接し、内障子が開き方向に僅かに移動すれば接しなくなるので、内障子を開閉移動する力が大きくならない。
前記第２召合せ気密材の取付部は、中間垂下壁のあり溝に設けられて上横外気密材と連続しているので、外障子の室内側面における上と縦のコーナー部の気密性が向上する。
【発明を実施するための最良の形態】
【００１６】
図１に示すように、窓枠１に内障子２と外障子３を引き違いに装着して引き違い窓としてある。
引き違いに装着するとは、窓枠１の室内側寄り部分に内障子２を左右方向に移動自在に取付け、窓枠１の室外側寄り部分に外障子３を左右方向に移動自在に取付け、その内障子２を左右一方の全閉位置とすると共に、外障子３を左右他方の全閉位置とすることで閉鎖状態とし、内障子２を左右他方の全開位置又は外障子３を左右一方の全開位置として開放状態とすることである。
【００１７】
前記窓枠１は、上枠１０と下枠１１と左右の縦枠１２を方形枠状に連結してある。
前記内障子２は上框２０、下框２１、戸当り框２２、召合せ框２３を備えている。
前記外障子３は上框３０、下框３１、戸当り框３２、召合せ框３３を備えている。
【００１８】
前記窓枠１と内障子２、外障子３の室内側面との間が気密材で気密されている。
例えば、図２、図３に示すように、上枠１０、下枠１１、一方の縦枠１２の室内側部に装着した上横内気密材４、下横内気密材５、縦内気密材６が内障子２の上框２０、下框２１、戸当り框２２の室内側面に接している。
前記上枠１０、下枠１１、他方の縦枠１２の室内外側方向の中間部に装着した上横外気密材７、下横外気密材８、縦外気密材９が外障子３の上框３０、下框３１、戸当り框３２の室内側面に接している。
なお、気密材は気密とともに水密する機能を有し、その気密材で気密するとは、水密することも含むものである。
また、窓枠１と内障子２、外障子３を気密する構成は、前述のことに限ることはなく、従来から知られている種々の手段で気密しても良い。
【００１９】
図２に示すように、前記上枠１０は内障子ガイド溝１０ａと外障子ガイド部１０ｂを有する。
前記内障子ガイド溝１０ａは室内側垂下壁１３と室内外側方向中間の中間垂下壁１４で下向きに開口した溝形状である。
この実施の形態では外障子ガイド部１０ｂはレールであり、外障子３の風圧による室内側に向かうたわみ変形はレールで規制されるから、そのたわみ変形は内障子２よりも少ない。
また、室内側垂下壁１３、中間垂下壁１４にはあり溝１３ａ，１４ａが形成され、この各あり溝１３ａ，１４ａに前記上横内気密材４、上横外気密材７が室外側に向けてそれぞれ装着してある。
【００２０】
図２に示すように、前記内障子２の召合せ框２３の室外側上部が切欠きされ、その切欠き部２４としてある。前記召合せ框２３の上部における残存した部分が前記上枠１０の室内側垂下壁１３と中間垂下壁１４との間（つまり、内障子ガイド溝１０ａ）に挿入してある。この切欠き部２４は縦面と横面で鉤形状である。
例えば、図３に示すように、召合せ框２３の室外側面２３ａに内煙返し２５、外向き片２６などの室外側突出部を有し、その内煙返し２５、外向き片２６の上部寄りを切断して除去して切欠き部２４としてある。
なお、この実施の形態の召合せ框２３は図３に示すように室内側に補強部２３ｂを有するので、その補強部２３ｂの上部を図２に示すように切断して除去し、カバー２３ｃを取付けている。
【００２１】
前記切欠き部２４が前記上枠１０の中間垂下壁１４と対向している。例えば、縦面が中間垂下壁１４の室内側面と対向し、横面が下面と対向している。
そして、内障子２、外障子３が全閉位置の時に切欠き部２４が外障子３の召合せ框３３の室内側面３３ａと対向し、この室内側面３３ａと中間垂下壁１４と切欠き部２４との間に隙間が生じる。なお、外障子３の召合せ框３３の室内側面３３ａには図３に示すように外煙返し３４が設けてある。
なお、前記上框２０の上部、戸当り框２２の上部も上枠１０の内障子ガイド溝１０ａ内に挿入してある。
【００２２】
次に、前述の隙間及び内障子２の召合せ框２３上部と上枠１０との間を気密する構成を説明する。
図４〜図６に示すように、内障子２の召合せ框２３の上部に、上部召合せ摺動片４０を取付け、上枠１０、例えば内障子ガイド溝１０ａに第１召合せ気密材５０を取付けると共に、上枠１０、例えば中間垂下壁１４に前述の隙間を気密する第２召合せ気密材６０を取付ける。この上部召合せ摺動片４０、第１・第２召合せ気密材５０，６０は図２、図３には図示を省略してある。また、図４〜図６は内障子２が全閉位置と全開位置の中間の開き位置である。
【００２３】
前記上部召合せ摺動片４０の上面４１、室内側面４２、室外側面４３、室外側上向面４４は、召合せ框２３の上面、上部室内側面、上部室外側面（前記切欠き部２４の縦面）、上部室外側上向面（前記切欠き部２４の横面）よりも上方、室内側、室外側にそれぞれ突出している。
この実施の形態では、上部召合せ摺動片４０は図３に示す召合せ框２３の中空部２３ｄ内に嵌合して取付けてある。
そして、前記上部召合せ摺動片４０の上面４１と、室内側面４２、室外側面４３の上部寄りが図４に示すように内障子ガイド溝１０ａ内に挿入してある。
【００２４】
前記第１・第２召合せ気密材５０，６０は図５に示すように上枠１０における内障子２を全閉位置とした時に召合せ框２３と対向した位置、つまり召合せ位置にそれぞれ取付けてある。
そして、内障子２を全閉位置とすることで、上部召合せ摺動片４０の上面４１が第１召合せ気密材５０に接して召合せ框２３の上部と上枠１０の内障子ガイド溝１０ａとの間を気密する。
例えば、第１召合せ気密材５０は内障子ガイド溝１０ａに嵌合して取付ける取付部５１と、この取付部５１に下向きに設けた気密部５２を備え、その気密部５２が上部召合せ摺動片４０の上面４１に接する。
【００２５】
この実施の形態に示す第１召合せ気密材５０を詳細に説明する。
前記取付部５１は、横板５３と一側縦板５４と他側縦板５５で下向コ字形状で、その一側縦板５４が室内側垂下壁１３の内面に接すると共に、他側縦板５５が中間垂下壁１４の内面に接するように嵌合して取付けられる。
前記気密部５２は横板５３に複数のヒレ５６を下向きに上枠長手方向に間隔を置いて設けてある。
【００２６】
このようであるから、内障子２を図５に実線で示す開き位置から矢印ａで示す閉じ方向に移動して全閉位置とすると、図５に仮想線で示すように上部召合せ摺動片４０の上面４１が複数のヒレ５６に接する。
【００２７】
前記内障子２を全閉位置とすることで、上部召合せ摺動片４０の室外側面４３、室外側上向面４４が第２召合せ気密材６０に接する。
前記外障子３を全閉位置とすることで、召合せ框３３の室内側面３３ａが第２召合せ気密材６０に接する。
これによって、内障子２、外障子３が全閉位置で閉鎖状態の時に、内障子２の召合せ框２３の切欠き部２４と中間垂下壁１４と外障子３の召合せ框３３の室内側面３３ａとの間の隙間を閉塞して気密することができる。
【００２８】
また、第２召合せ気密材６０と上部召合せ摺動片４０の室外側面４３との重なり代（つまり、第２召合せ気密材６０の弾性変形量）は、内障子２の最大たわみ変形量よりも大きく、内障子２が台風等の強風雨の風圧で室内側に向けてたわみ変形しても接し続けるようにしてあるので、気密性が低下しない。
また、第２召合せ気密材６０は上枠１０（中間垂下壁１４）に取付けてあり、内障子２が全閉位置の時にその第２召合せ気密材６０と上部召合せ摺動片４０の室外側面４３が接し、開き方向に移動する時には接しないので、前述のように重なり代を大きくしても内障子２を開き方向に移動する力は、全閉位置から若干移動する時に大きくなるが、それ以降は全開位置まで移動する時の力は小さく、内障子２をスムーズに開き移動できる。
【００２９】
また、外障子３が風圧で室内側に向けてたわみ変形した時には、その外障子３の召合せ框３３の室内側面３３ａが第２召合せ気密材６０に押しつけられるので、気密性は低下しない。
【００３０】
例えば、前記第２召合せ気密材６０は、中間垂下壁１４に取付ける取付部６１と、この中間垂下壁１４よりも室内側、室外側及び下方にそれぞれ張り出した気密部６２を備えている。
【００３１】
この実施の形態に示す第２召合せ気密材６０を詳細に説明する。
前記取付部６１は中間垂下壁１４のあり溝１４ａに嵌着して取付けられると共に、その中間垂下壁１４の室外側面１４ｂに接する。
この取付部６１の下部は中間垂下壁１４よりも室内側に張り出し、その部分に複数のヒレ６３を設けて気密部６２としてある。
この各ヒレ６３は縦向きで、上枠１０の長手方向に間隔を置いて設けてある。
前記ヒレ６３は上部召合せ摺動片４０の室外側面４３よりも室内側に張り出し、その張り出し寸法（前述の重なり代）は、内障子２の風圧による最大たわみ変形量よりも大きい。
前記第２召合せ気密材６０のヒレ６３は第１召合せ気密材５０のヒレ５６と接し、両者の間を気密している。
【００３２】
このようであるから、開き位置の内障子２を全閉位置とすると図７に示すように、上部召合せ摺動片４０の室外側面４３が第２召合せ気密材６０のヒレ６３に接し、そのヒレ６３は弾性変形する。
【００３３】
前記中間垂下壁１４に装着した上横外気密材７は、前記第２召合せ気密材６０の取付部６１の長手方向一端面に接し、その上横外気密材７と第２召合せ気密材６０（ヒレ６３）が連続するようにしてある。
これによって、外障子３の室内側面における上と縦のコーナー部の気密性が向上する。
【００３４】
次に、内障子２の開閉動作について説明する。
図２に示すように、内障子２の召合せ框２３側部分が上部召合せ摺動片４０で内障子ガイド溝１０ａに沿って長手方向に移動自在にガイドされる。
例えば、上部召合せ摺動片４０の室内側面４２が上横内気密材４に沿ってガイドされると共に、室外側面４３が中間垂下壁１４に沿ってガイドされる。
図８に示すように、内障子２の戸当り框２２の上部に上部戸当り摺動片７０が取付けてある。この上部戸当り摺動片７０が中間垂下壁１４に沿って摺動し、内障子２の戸当り框２２部分をガイドしている。
【００３５】
図８（ａ）に示すように、内障子２が全閉位置の時には、上部召合せ摺動片４０と第１召合せ気密材５０、第２召合せ気密材６０がそれぞれ接している。
この状態から内障子２を矢印ｂで示すように開き方向に移動する。
この内障子２の開き移動初期には前述のように上部召合せ摺動片４０と第１・第２召合せ気密材５０，６０が接しているので、その内障子２を移動する力は大きい。
そして、図８（ｂ）に示すように上部摺動片４０が第１・第２召合せ気密材５０，６０と離れるまで内障子２を移動すると、その後は小さな力で内障子２を図８（ｃ）に示す全開位置まで移動することができる。この全開位置は図示しないクレセントストッパーで規制する。
そして、内障子２が全開位置の時には図８（ｃ）に示すように、戸当り摺動片７０と第１・第２召合せ気密材５０，６０が離隔して接することがないようにしてある。
【００３６】
このようであるから、内障子２を室内外側方向にガタつくことなしにスムーズに開閉移動できると共に、全閉位置から僅かに開き移動した後は小さな力で内障子２を開閉移動できる。
【図面の簡単な説明】
【００３７】
【図１】本発明の第１の実施の形態を示す引き違い窓の内観図である。
【図２】本発明の第１の実施の形態を示す引き違い窓の縦断面図である。
【図３】本発明の第１の実施の形態を示す引き違い窓の横断面図である。
【図４】図３のＡ−Ａ線に沿う拡大上部断面図である。
【図５】図４のＢ−Ｂ線に沿う断面図である。
【図６】上枠と内障子召合せ框上部分との内障子開き位置の時の斜視図である。
【図７】上枠と内障子召合せ框上部分との内障子全閉位置の時の斜視図である。
【図８】内障子の開閉動作の説明図である。
【符号の説明】
【００３８】
１…窓枠、２…内障子、３…外障子、１０…上枠、１０ａ…内障子ガイド溝、１３…室内側垂下壁、１４…中間垂下壁、２３…召合せ框、２４…切欠き部、３３…召合せ框、３３ａ…室内側面、４０…上部召合せ摺動片、４１…上面、４２…室内側面、４３…室外側面、４４…室外側上向面、５０…第１召合せ気密材、５１…取付部、５２…気密部、５６…ヒレ、６０…第２召合せ気密材、６１…取付部、６２…気密部、６３…ヒレ、７０…上部戸当り摺動片。
【図１】
0004497373.tif 000002
【図２】
0004497373.tif 000003
【図３】
0004497373.tif 000004
【図４】
0004497373.tif 000005
【図５】
0004497373.tif 000006
【図６】
0004497373.tif 000007
【図７】
0004497373.tif 000008
【図８】
0004497373.tif 000009